(57)【特許請求の範囲】
【請求項１】
妻方向に対向する一対の支柱部材(1a,1b)を上方に向けて順次連結すると共に、前記一対の支柱部材の１組を桁方向に間隔をあけて配置し、前記一対の支柱部材に横架材(4)を架設すると共に、該横架材に足場板(5)を搭載することにより桁方向に延びる作業床を構成し、順次、下層作業床から上層作業床を構築する仮設足場において、前記横架材を下方から支持することにより強化する強化装置(6)であり、
前記強化装置(6)は、前記横架材の長手方向の中途部位と、該横架材から下向きに延びる支柱部材の下方部位の間において、斜めに延びるブレース部材(7)を備えると共に、該ブレース部材の上端部を横架材に固定する上部固定手段(8)と、下端部を支柱部材に固定する下部固定手段(9)を備えており、
前記上部固定手段(8)は、前記横架材の下側に位置する支持体(10)と、横架材の下面を保持する下顎手段(11)及び上面を保持する上顎手段(12)を備え、前記下顎手段と上顎手段の一方により前記支持体(10)に固定された固定顎部(13a,13b)を構成すると共に、他方により横架材に対して進退自在な可動顎部(14a,14b)を構成し、
前記横架材の軸線と平行するＸ軸方向に向けて前記支持体(10)に設けられた挿入路(21a,21b)と、ハンマーで殴打することにより前記挿入路内で前進移動したとき可動顎部(14a)に対して横架材に向かう圧接力を発生させると共に、後退移動したとき可動顎部(14a)を解放することにより上部固定手段(8)を横架材から取外し可能とするロック片(15a)から成る楔手段(26a)を構成する緊締手段(16)を設けており、
前記緊締手段(16)は、前記横架材(4)の中心を通る垂線(V)の両側に位置する該横架材の一方側(F)と他方側(R)において、前記一方側(F)及び他方側(R)にそれぞれ臨む足場板(5)と横架材(4)の間の隙間(SF)(SR)に関して、該緊締手段(16)を一方側(F)に偏位した状態で前記隙間(SF)に臨ませて設けており、
１本の横架材(4)に対して、相互に同一構成とした一対の強化装置(6)(6)を、鉛直線を対称軸として反転された姿勢でハ字状に配置することにより、一方の強化装置(6A)におけるロック片(15a)を含む緊締手段(16)と、他方の強化装置(6B)におけるロック片(15a)を含む緊締手段(16)を、相互に反対側の隙間(SF)(SR)に臨ませて配置して成ることを特徴とする足場構築体の強化装置。
【請求項２】
前記一方側(F)の隙間(SF)に臨ませられた前記ロック片(15a)の被殴打部の延長線を支柱部材の側部空間に向けて配置して成ることを特徴とする請求項１に記載の足場構築体の強化装置。
【請求項３】
前記ブレース部材(7)は、上端部を横架材の中心に向かわせるように前記支持体(10)に固着されて成ることを特徴とする請求項１又は２に記載の足場構築体の強化装置。
【請求項４】
前記上部固定手段(8)は、下顎手段(11)により前記固定顎部(13a)を構成すると共に、上顎手段(12)により前記可動顎部(14a)を構成し、横架材の前記他方側(R)に臨んで上顎手段(12)を下顎手段(11)に回動自在に枢結する枢結手段(18)を設け、上顎手段の回動を介して上下顎手段(12,11)により横架材(4)を上下から保持した状態で、前記緊締手段(16)により上顎手段(12)を押下げることにより、上下顎手段(12,11)により横架材(4)を挟着するように構成されて成ることを特徴とする請求項１又は２に記載の足場構築体の強化装置。
【請求項５】
前記緊締手段(16)は、横架材の前記一方側(F)に臨んで支持体に設けられたソケット手段(19a)と、上顎手段(12)の自由端に設けられたプラグ手段(20)と、前記ロック片(15a)により構成され、
前記ソケット手段(19a)は、横架材の軸線と平行するＸ軸方向の挿入路(21a)と、該挿入路を横断する受入部(22a)を設け、
前記プラグ手段(20)は、前記受入部(22a)に嵌入自在な舌片部(24)と、該舌片部を受入部に嵌入した状態で前記挿入路(21a)に臨む被押圧部(25a)を設けており、
前記ロック片(15a)は、前記舌片部を受入部に嵌入した状態で該ロック片を挿入路内で前進移動したとき、前記被押圧部(25a)を押圧することにより、上顎手段(12)を押下げて横架材(4)の上面に圧接させるように構成されて成ることを特徴とする請求項４に記載の足場構築体の強化装置。
【請求項６】
前記上部固定手段(8)は、上顎手段(12)により前記固定顎部(13b)を構成すると共に、下顎手段(11)により前記可動顎部(14b)を構成しており、
前記可動顎部(14b)は、支持体(10)に遊動自在に保持されると共に、横架材の下面に向かう方向に揺動自在とされた揺動部(32)を設け、
下顎手段(11)の揺動部(32)の揺動を介して上下顎手段(12,11)により横架材(4)を上下から保持した状態で、前記緊締手段(16)により下顎手段(11)を押上げることにより、上下顎手段(12,11)により横架材(4)を挟着するように構成されて成ることを特徴とする請求項１、２又は３に記載の足場構築体の強化装置。
【請求項７】
前記緊締手段(16)は、支持体(10)に設けられたソケット手段(19b)と、前記下顎手段(11)の揺動部(32)と、前記ロック片(15b)により構成され、
前記ソケット手段(19b)は、横架材の軸線と平行するＸ軸方向の挿入路(21b)と、該挿入路を横断する受入部(22b)を設け、
前記下顎手段(11)の揺動部(32)は、前記受入部(22b)に揺動自在に挿入され、上面に圧接部を形成すると共に、下面に被押圧部(25b)を設けており、
前記ロック片(15b)は、前記挿入路内で前進移動したとき、前記被押圧部(25b)を押圧することにより、下顎手段(11)の圧接部を横架材(4)の下面に圧接させるように構成されて成ることを特徴とする請求項６に記載の足場構築体の強化装置。
【請求項８】
上顎手段(12)により構成された固定顎部(13b)と下顎手段(11)により構成された可動顎部(14b)の間における挟持空間の側部に導入開口部を形成しており、
前記可動顎部(14b)は、支持体(10)に遊転自在に保持された枢支部(35)から前記挟持空間に延びる作動片(37)を設け、前記枢支部(35)を介して前記作動片(37)と前記揺動部(32)を連動連結し、
前記横架材(4)が導入開口部から挟持空間に進入することにより前記作動片(37)を押動したとき、該作動片(37)の押動に連動して前記揺動部(32)を上動させ、該揺動部(32)を緊締手段(16)により押上げ可能な待機姿勢とするように構成して成ることを特徴とする請求項６又は７に記載の足場構築体の強化装置。
【発明の詳細な説明】
【技術分野】
【０００１】
本発明は、順次、支柱部材を上方に向けて連結すると共に、支柱部材の間に架設した横架材に足場板を搭載することにより、下層作業床から上層作業床を構築する仮設足場において、前記横架材を下方から支持することにより強化する強化装置に関する。
【背景技術】
【０００２】
建設現場等において構築される仮設足場は、妻方向に対向する一対の支柱部材を上方に向けて順次連結すると共に、前記一対の支柱部材の１組を桁方向に間隔をあけて配置し、前記一対の支柱部材に横架材を架設すると共に、該横架材に足場板を搭載することにより桁方向に延びる作業床を構成し、順次、下層作業床から上層作業床を構築している。
【先行技術文献】
【特許文献】
【０００３】
【特許文献１】特開平５−４４３３８号公報
【発明の概要】
【発明が解決しようとする課題】
【０００４】
上述のような足場構築体において、作業床を往来する作業者等の荷重は、足場板を搭載した横架材により支持される。しかしながら、横架材は、その両端部の緊結手段を一対の支柱部材に固着した架設構造とされているため、横架材が疲労している場合や、予想外の大きな荷重を受けたとき等には、横架材が座屈方向に変形するおそれがある。また、例えば、強風等により足場構築体が揺れ動き、万一、支柱部材を水平方向から支持する横架材の支持力が低下して上下の支柱部材の連結部が歪むと、支柱部材が鉛直姿勢を保持できなくなり、撓み方向に変形するおそれがある。従って、このような問題を解決するためには、横架材の支持構造を強化することが望ましい。
【０００５】
特許文献１によれば、足場板に補強用方杖材を揺動自在に連結し、足場板を横架材の上に水平となるように搭載した後、前記補強用方杖材の下端部を支柱部材の下方位置に係止する技術が提案されている。
【０００６】
しかしながら、本発明者の知見によれば、上記問題を解決するためには、横架材の支持構造を強化することが必要である。従って、特許文献１により提案された技術のように足場板を補強しても意味がない。特に、補強用方杖材は、足場板に揺動自在に設けられているので、取付後に剛体構造を形成することができない。
【０００７】
また、順次、下層作業床から上層作業床を構築する足場構築体においては、横架材も下層から上層へと順に取付けられるので、横架材の強化作業を下層側から行うことができるように構成する必要がある。この点に関して、特許文献１により提案された技術は、足場板に補強用方杖材を垂設しているので、上層と下層の両側から作業が必要となり、作業性が良くない。
【０００８】
因みに、一般的に、仮設足場は、桁方向に隣り合う支柱部材の間を筋交い等の斜材により補強しているが、妻方向に対向する一対の支柱部材の間には、横架材の他に斜材のような補強材を有しないため、この部分を強化すべきニーズがあり、このようなニーズに応えることが望ましい。
【課題を解決するための手段】
【０００９】
本発明は、上記課題を解決した強化装置、即ち、横架材の支持構造を強化する装置を提供するものであり、本発明の強化装置は、支柱部材の間に架設構造とされた横架材を、両端の緊結部材の内側位置から支柱部材の下方位置に向けて支持させることにより、間隔が狭められた架設支持点を形成し、これにより横架材の曲げ強度を大幅に向上すると共に、横架材と支柱部材の間に剛体構造を形成するように構成されている。しかも、横架材を強化するための作業は、下層作業床から上層の横架材に対して容易に行うことができるように構成されている。
【００１０】
そこで、本発明が手段として構成したところは、妻方向に対向する一対の支柱部材を上方に向けて順次連結すると共に、前記一対の支柱部材の１組を桁方向に間隔をあけて配置し、前記一対の支柱部材に横架材を架設すると共に、該横架材に足場板を搭載することにより桁方向に延びる作業床を構成し、順次、下層作業床から上層作業床を構築する仮設足場において、前記横架材を下方から支持することにより強化する強化装置であり、前記強化装置は、前記横架材の長手方向の中途部位と、該横架材から下向きに延びる支柱部材の下方部位の間において、斜めに延びるブレース部材を備えると共に、該ブレース部材の上端部を横架材に固定する上部固定手段と、下端部を支柱部材に固定する下部固定手段を備えており、前記上部固定手段は、前記横架材の下側に位置する支持体と、横架材の下面を保持する下顎手段及び上面を保持する上顎手段を備え、前記下顎手段と上顎手段の一方により前記支持体に固定された固定顎部を構成すると共に、他方により横架材に対して進退自在な可動顎部を構成し、
前記横架材の軸線と平行するＸ軸方向に向けて前記支持体に設けられた挿入路と、ハンマーで殴打することにより前記挿入路内で前進移動したとき可動顎部に対して横架材に向かう圧接力を発生させると共に、後退移動したとき可動顎部を解放することにより上部固定手段を横架材から取外し可能とするロック片から成る楔手段を構成する緊締手段を設けており、前記緊締手段は、前記横架材の中心を通る垂線(V)の両側に位置する該横架材の一方側(F)と他方側(R)において、前記一方側(F)及び他方側(R)にそれぞれ臨む足場板と横架材の間の隙間(SF)(SR)に関して、該緊締手段を一方側(F)に偏位した状態で前記隙間(SF)に臨ませて設けており、１本の横架材に対して、相互に同一構成とした一対の強化装置を、鉛直線を対称軸として反転された姿勢でハ字状に配置することにより、一方の強化装置におけるロック片を含む緊締手段と、他方の強化装置におけるロック片を含む緊締手段を、相互に反対側の隙間(SF)(SR)に臨ませて配置して成る点にある。
【００１１】
この際、前記一方側(F)の隙間(SF)に臨ませられた前記ロック片の被殴打部の延長線を支柱部材の側部空間に向けて配置することが好ましく、更に、前記ブレース部材は、上端部を横架材の中心に向かわせるように前記支持体に固着されていることが好ましい。
【００１３】
本発明の第１実施形態において、前記上部固定手段は、下顎手段により前記固定顎部を構成すると共に、上顎手段により前記可動顎部を構成し、横架材の前記他方側に臨んで上顎手段を下顎手段に回動自在に枢結する枢結手段を設け、上顎手段の回動を介して上下顎手段により横架材を上下から保持した状態で、前記緊締結手段により上顎手段を押下げることにより、上下顎手段により横架材を挟着するように構成されている。
【００１４】
この際、前記上部固定手段を押下げる緊締手段は、横架材の前記一方側に臨んで支持体に設けられたソケット手段と、上顎手段の自由端に設けられたプラグ手段と、前記ロック片により構成され、前記ソケット手段は、横架材の軸線と平行するＸ軸方向の挿入路と、該挿入路を横断する受入部を設け、前記プラグ手段は、前記受入部に嵌入自在な舌片部と、該舌片部を受入部に嵌入した状態で前記挿入路に臨む被押圧部を設けており、前記ロック片は、前記舌片部を受入部に嵌入した状態で該ロック片を挿入路内で前進移動したとき、前記被押圧部を押圧することにより、上顎手段を押下げて横架材の上面に圧接させるように構成されている。
【００１５】
本発明の第２実施形態において、前記上部固定手段は、上顎手段により前記固定顎部を構成すると共に、下顎手段により前記可動顎部を構成しており、前記可動顎部は、支持体に遊動自在に保持されると共に、横架材の下面に向かう方向に揺動自在とされた揺動部を設け、下顎手段の揺動部の揺動を介して上下顎手段により横架材を上下から保持した状態で、前記緊締手段により下顎手段を押上げることにより、上下顎手段により横架材を挟着するように構成されている。
【００１６】
この際、前記上部固定手段の緊締手段は、支持体に設けられたソケット手段と、前記下顎手段の揺動部と、前記ロック片により構成され、前記ソケット手段は、横架材の軸線と平行するＸ軸方向の挿入路と、該挿入路を横断する受入部を設け、前記下顎手段の揺動部は、前記受入部に揺動自在に挿入され、上面に圧接部を形成すると共に、下面に被押圧部を設けており、前記ロック片は、前記挿入路内で前進移動したとき、前記被押圧部を押圧することにより、下顎手段の圧接部を横架材の下面に圧接させるように構成されている。
【００１７】
本発明の第３実施形態において、上顎手段により構成された固定顎部と下顎手段により構成された可動顎部の間における挟持空間の側部に導入開口部を形成しており、前記可動顎部は、支持体に遊転自在に保持された枢支部から前記挟持空間に延びる作動片を設け、前記枢支部を介して前記作動片と前記揺動部を連動連結し、前記横架材が導入開口部から挟持空間に進入することにより前記作動片を押動したとき、該作動片の押動に連動して前記揺動部を上動させ、該揺動部を緊締手段により押上げ可能な待機姿勢とするように構成している。
【発明の効果】
【００１８】
従来、仮設足場は、桁方向に隣り合う支柱部材の間を筋交い等の斜材により補強している反面、妻方向に対向する一対の支柱部材の間には、横架材の他に斜材のような補強材を有していないが、本発明によれば、妻方向に関して、強化装置６により、横架材４と支柱部材１ａ、１ｂを剛体化できるので、仮設足場の全体強度を大幅に向上することが可能となる。
【００１９】
この際、本発明の強化装置６によれば、横架材４は、上部固定手段８から下向き斜めに延びるブレース部材７により、支柱部材１ａ、１ｂの下方位置に支持される。従って、横架材４の架設構造は、支柱部材１ａ、１ｂに架設された両端の緊結手段４ａ、４ａを架設支持点とする支持スパン（支柱部材１ａ、１ｂの間隔と等しい）に加えて、強化装置６、６を架設支持点とする支持スパン（図３に示す間隔Ｌ２とほぼ等しい）を形成し、支持スパンが狭められた架設支持点を提供するので、横架材４の曲げ強度を大幅に向上することができる。しかも、各強化装置６は、上述のようにガタツキなく緊締されるので、横架材４と支柱部材１ａ、１ｂの間に剛体構造を形成し、強風等による足場構築体の揺れを阻止する。そして、強化装置６の取付け作業は、全て、下層作業床から行うことが可能であるから、作業効率が良く、取付後においても、下層作業床上の作業空間Ｓを不必要に狭めることがなく、該作業空間Ｓを往来する作業者の頭部の空間を確保できる。
特に本発明によれば、１本の横架材４に対して、相互に同一構成とした一対の強化装置６、６を、鉛直線を対称軸として反転された姿勢でハ字状に配置することにより、一方の強化装置６Ａにおけるロック片１５ａを含む緊締手段１６と、他方の強化装置６Ｂにおけるロック片１５ａを含む緊締手段１６が横架材４の中心を通る垂線Ｖに対して相互に反対側に偏位させられ、相互に反対側の隙間ＳＦ、ＳＲに臨んだ状態で配置されているので、両強化装置６Ａ、６Ｂの間でハンマーを往復動させることによりロック片１５ａを殴打する際、両強化装置の間隔Ｌ２がハンマーの殴打ストロークを十分に確保できない場合でも、一方のロック片１５ａを殴打するために振り上げたハンマーが他方のロック片に干渉することはなく、好適にハンマーを使用することができるという効果がある。
この際、前記一方側Ｆに臨む隙間ＳＦに臨ませられたロック片１５ａの被殴打部は、該被殴打部の延長線を支柱部材１の側部空間に向けて配置するので、強化装置６と支柱部材１の間でハンマーを往復動させることによりロック片１５ａを殴打する際、該強化装置６と支柱部材１の間隔Ｌ１がハンマーの殴打ストロークを十分に確保できない場合でも、振り上げたハンマーが支柱部材１に干渉することはなく、好適にハンマーを使用することができるという効果がある。
【図面の簡単な説明】
【００２０】
【図１】本発明の第１実施形態により強化された横架材を備える仮設足場の１例を示す側面図である。
【図２】仮設足場の横架材に足場板を搭載する方法を例示する側面図である。
【図３】本発明の第１実施形態により横架材を強化した状態を示す側面図である。
【図４】第１実施形態の上部固定手段を示しており、（Ａ）は正面図、（Ｂ）は側面図である。
【図５】第１実施形態の下部固定手段を示す斜視図である。
【図６】第１実施形態の上部固定手段を示しており、（Ａ）は下部固定手段から上部固定手段を離反させた状態を示す斜視図、（Ｂ）は挿通路と受入部を形成するソケット手段を示す斜視図である。
【図７】第１実施形態の上部固定手段を横架材に固定する方法を示す正面図である。
【図８】第２実施形態の上部固定手段を示しており、（Ａ）は正面図、（Ｂ）は側面図である。
【図９】第２実施形態の上部固定手段を示しており、（Ａ）は一側方向から示す斜視図、（Ｂ）は他側方向から示す斜視図、（Ｃ）は可動顎部を下降させた状態を示す断面図、（Ｄ）は可動顎部を押上げた状態を示す断面図である。
【図１０】第２実施形態の上部固定手段を横架材に固定する方法を示しており、（Ａ）は固定顎部を横架材に臨ませた状態を示す断面図、（Ｂ）は上部固定手段を横架材に固定した状態を示す断面図である。
【図１１】第３実施形態の上部固定手段を示す斜視図である。
【図１２】第３実施形態の上部固定手段を示しており、（Ａ）は正面図、（Ｂ）は側面図である。
【図１３】第３実施形態の上部固定手段を横架材に固定する方法を示しており、（Ａ）は導入開口部を横架材に臨ませた状態を示す断面図、（Ｂ）は横架材により作動片を押動することにより揺動部を待機姿勢に向けて上動する作用を示す断面図、（Ｃ）は緊締手段により下顎手段の圧接部を横架材の下面に圧接した状態を示す断面図である。
【発明を実施するための形態】
【００２１】
以下図面に基づいて本発明の好ましい実施形態を詳述する。
【００２２】
図１は、フランジ付き楔緊結式の仮設足場を構成する足場構築体を例示しており、各支柱部材１は、上下に所定間隔をあけてフランジ２を固設し、上下方向に支柱部材を連結可能とする差込み式の連結手段３を設けている。足場構築体は、建造物等の外壁Ｗに対する遠近方向を「妻方向」とし、外壁Ｗに沿う横方向を「桁方向」として、妻方向に対向する一対の支柱部材１ａ、１ｂを上方に向けて順次連結すると共に、図示省略しているが、前記一対の支柱部材１ａ、１ｂの１組を桁方向に間隔をあけて配置し、前記一対の支柱部材１ａ、１ｂに横架材４を架設すると共に、該横架材４に足場板５を搭載することにより桁方向に延びる作業床を構成し、順次、下層作業床から上層作業床を構築される。
【００２３】
横架材４は、両端に楔緊結式の緊結手段４ａ、４ａを備え、各緊結手段４ａをそれぞれ支柱部材１ａ、１ｂのフランジ２に楔片を打ち込むことにより固着される。尚、支柱部材１ａ、１ｂに対する横架材４の架設方法は、図例のようなフランジ付き楔緊結式に限定されるものではなく、その他の形式であっても良い。
【００２４】
足場板５は、図２に示すように、桁方向の両端縁に妻方向に間隔をあけて施錠ロック手段付きのフック５ａを設けており、フック５ａを横架材４に係止することにより搭載され、図示省略しているが、桁方向に列設された足場板５により作業床を形成する。桁方向に隣り合う足場板５、５は、対向するフック５ａ、５ａを同一の横架材４に係止することにより、桁方向に連設される。
【００２５】
（第１実施形態）
図１並びに図３ないし図７は、本発明の第１実施形態に係る強化装置６を示しており、該強化装置６は、横架材４を下方から支持することにより強化する。
【００２６】
図１に示すように、１本の横架材４に対して、左右一対の強化装置６、６がハ字状に配置される。これにより、該横架材４の下方に位置する下層作業床上の作業空間Ｓを不必要に狭めることがなく、該作業空間Ｓを往来する作業者の頭部の空間を確保できる。
【００２７】
一対の強化装置６、６は、相互に同一構成とされ、図１に示すように、鉛直軸を対称軸として反転された姿勢で配置される。
【００２８】
そこで、強化装置６は、横架材４の軸長手方向の中途部位と、該横架材４から下向きに延びる支柱部材１の下方部位の間において、斜めに延びるブレース部材７を備えると共に、該ブレース部材７の上端部を横架材４に固定する上部固定手段８と、下端部を支柱部材１に固定する下部固定手段９を備えている。
【００２９】
（上部固定手段の構成）
図４及び図６に示すように、上部固定手段８は、横架材４の下側に位置する支持体１０と、横架材４の下面を保持する下顎手段１１及び上面を保持する上顎手段１２を備え、前記下顎手段１１により前記支持体１０に固定された固定顎部１３ａを構成し、前記上顎手段１２により横架材４に対して進退自在な可動顎部１４ａを構成しており、前記可動顎部１４ａと支持体１０の間に挿入することにより可動顎部１４ａを横架材４に対して圧接するロック片１５ａを備えた緊締手段１６を設けている。
【００３０】
前記支持体１０の下面には、下向きＵ形のブラケット１７が固設され、前記ブレース部材７の上端部を横架材４の中心に向かわせるように配置した状態で、該ブレース部材の上端部を前記ブラケット１７に対して溶接等により固着している。
【００３１】
強化装置６は、図４（Ａ）に示すように、横架材４の中心を通る垂線Ｖの両側に位置する該横架材の一方側Ｆと他方側Ｒに関して、前記緊締手段１６を含む支持体１０を一方側Ｆに臨むように偏位して設け、他方側Ｒに臨むように偏位して上顎手段１２を下顎手段１１に回動自在に枢結するボルト・ナット等から成る枢結手段１８を設けており、上顎手段１２の回動を介して上下顎手段１２、１１により横架材４を上下から保持した状態で、前記緊結手段１６ａにより上顎手段１２を押下げることにより、横架材４を挟着するように構成している。
【００３２】
前記緊締手段１６は、図６に示すように、支持体１０に設けたソケット手段１９ａと、上顎手段１２の自由端に設けられたプラグ手段２０と、前記ロック片１５ａにより構成されている。
【００３３】
前記ソケット手段１９ａは、図６（Ｂ）に示すように、断面Ｕ形の部材により構成され、横架材４の軸線と平行するＸ軸方向の挿入路２１ａと、該挿入路２１ａを横断する受入部２２ａを形成しており、支持体１０の内部に固着される。尚、挿入路２１ａの両端は、支持体１０の両側壁を貫通する窓孔により開口部２３ａ、２３ａを形成する。
【００３４】
前記プラグ手段２０は、前記受入部２２ａに嵌入自在な舌片部２４と、該舌片部２４を受入部２２ａに嵌入した状態で、前記挿入路２１ａに臨む位置に形成した孔の縁部に被押圧部２５ａを設けている。
【００３５】
前記ロック片１５ａは、基端部から先端部に向けて次第に上下幅を減じるテーパ縁を備えた楔部材から成り、前記舌片部２４を受入部２２ａに嵌入した状態で、該ロック片１５ａを挿入路２１ａの内部で矢印Ｘ１（図４（Ｂ）参照）で示す前進方向に移動したとき、該ロック片１５ａより前記被押圧部２５ａを押圧することにより、上顎手段１２を押下げて横架材の上面に圧接させる楔手段２６ａを構成する。
【００３６】
（下部固定手段の構成）
図５に示すように、下部固定手段９は、ブレース部材７の下端部に溶接等で固着されたブラケット２７から水平方向に延びる上下一対の水平な板部２８、２８と、上下の板部２８、２８に開設された孔２９に摺動自在に挿入される楔部材３０により構成されている。
【００３７】
図例のフランジ付き楔緊結式の仮設足場を構成する支柱部材１には、所定位置にフランジ２が設けられているので、前記上下の板部２８、２８の間にフランジ２を挿入した状態で、該フランジ２の楔孔２ａに楔部材３０を打ち込み移動すると、下部固定手段９とフランジ２が相互にガタツキなく堅固に固着される。反対に、下部固定手段９をフランジ２から取外すときは、楔部材３０を反対方向に移動して楔孔２ａから脱すれば良い。
【００３８】
尚、本発明の強化装置６は、フランジ付き楔緊結式が採用されていない足場構築体であっても、横架材４を強化するために使用可能であり、その場合、支柱部材１にはフランジ２が設けられていないので、下部固定手段９は、別の構成とすれば良い。例えば、一対の開閉自在な顎部材をボルト・ナットで挟着する公知のクランプ金具をブレース部材７の下端部に固着する等、種々の構成を任意に採用することが可能である。
【００３９】
（第１実施形態の作用）
強化装置６の取付け及び取外し作業は、全て、強化すべき横架材４の直下の下層作業床から行うことが可能である。先ず、図６及び図７に示すように、上部固定手段８の可動顎部１４ａを開放し、該可動顎部１４ａを横架材４の上側に位置させ、固定顎部１３ａを横架材４の下側に位置させることにより、支持体１０を前記一方側Ｆに配置する。この際、上顎手段１２を構成する可動顎部１４ａは、円弧状に延びる細長い板状のアームにより形成されているので、他方側Ｒの足場板５と横架材４の間の隙間ＳＲに対して可動顎部１４ａを下方から容易に通過させることができる。この状態で、上部固定手段８を横架材４の軸方向に移動させながら、ブレース部材７の下端部の下部固定手段９が支柱部材１の所定個所に臨むように位置決めし、該下部固定手段９を支柱部材１の所定位置に固定する。図例の場合、下部固定手段９は、楔部材３０によりフランジ２に緊結される。
【００４０】
この状態から、上部固定手段８の上顎手段１２を構成する可動顎部１４ａを下向きに回動させ、プラグ手段２０を支持体１０のソケット手段１９ａに嵌入する。この際、上顎手段１２は、円弧状に延びる細長い板状のアームにより形成されているので、一方側Ｆの足場板５と横架材４の間の隙間ＳＦに対して、可動顎部１４ａが上方から容易に通過させられる。これにより、舌片部２４が受入部２２ａに嵌入し、被押圧部２５ａを備えた孔が挿通路２１ａと連通するので、楔手段２６ａを構成するロック片１５ａを被押圧部２５ａに交差させ、基端側からハンマー等により矢印Ｘ１（図４（Ｂ）参照）で示す前進方向に打ち込むと、該ロック片１５ａにより上顎手段１２を横架材４に向かわせる圧接力が発生し、上顎手段１２を押下げることにより、上下顎手段１２、１１により横架材４をガタツキなく挟着する。
【００４１】
上述のように、１本の横架材４に対して、左右一対の強化装置６、６がハ字状に配置され、同一構成とされた一対の強化装置６、６が鉛直軸を対称軸として反転された姿勢で配置され、それぞれにより横架材４を支柱部材１ａ、１ｂに支持させる。何れの強化装置６においても、図４（Ａ）に示すように、ロック片１５ａが横架材４の中心を通る垂線Ｖから偏位し、好ましくは、該ロック片１５ａを垂線Ｖに対して傾斜させることにより、ロック片１５ａの被殴打部（図７に示す支柱部材１の投影外に位置する部分）を前記隙間ＳＦに臨ませ、該被殴打部の延長線が支柱部材１の側部空間に向かうように構成されている。従って、図３に示すように、上部固定手段８と支柱部材１の間の間隔Ｌ１がハンマーの殴打ストロークを十分に確保できない場合でも、振り上げたハンマーが支柱部材１に干渉しないので、ハンマーでロック片１５ａを打ち込むことが可能である。
【００４２】
また、仮設足場の解体に際し、上部固定手段８を横架材４から取外すため、ロック片１５ａの先端側を矢印Ｘ２（図４（Ｂ）参照）で示す後退方向にハンマーで殴打し、被押圧部２５ａから脱出させる場合においても、一方の強化装置６（図３に符号６Ａで示す）におけるロック片１５ａを含む緊締手段１６と、他方の強化装置６（図３に符号６Ｂで示す）におけるロック片１５ａを含む緊締手段１６は、前記垂線Ｖを挟んで相互に反対側に偏位して配置されている。従って、一対の強化装置６Ａ、６Ｂの間隔Ｌ２がハンマーの殴打ストロークを十分に確保できない場合でも、振り上げたハンマーが反対側の強化装置６に干渉しないので、ハンマーによりロック片１５ａの先端側を殴打することが可能である。
【００４３】
尚、被押圧部２５ａから脱出させたロック片１５ａは、前記矢印Ｘ２方向で示す後退方向の開口部２３ａから脱落しないように、先端部の側部に抜止め突部１５ｐを設けるのが好ましい。
【００４４】
一対の強化装置６、６を取付けた状態で、横架材４は、上部固定手段８から下向き斜めに延びるブレース部材７により、支柱部材１ａ、１ｂの下方位置に支持される。従って、横架材４の架設構造は、支柱部材１ａ、１ｂに架設された両端の緊結手段４ａ、４ａを架設支持点とする支持スパン（支柱部材１ａ、１ｂの間隔と等しい）に加えて、強化装置６、６を架設支持点とする支持スパン（図３に示す間隔Ｌ２とほぼ等しい）を形成し、支持スパンが狭められた架設支持点を提供するので、横架材４の曲げ強度を大幅に向上することができる。しかも、各強化装置６は、上述のようにガタツキなく緊締されているので、横架材４と支柱部材１ａ、１ｂの間に剛体構造を形成し、強風等による足場構築体の揺れを阻止する。そして、強化装置６の取付け作業は、全て、下層作業床から行うことが可能であるから、作業効率が良く、取付後においても、下層作業床上の作業空間Ｓを不必要に狭めることがなく、該作業空間Ｓを往来する作業者の頭部の空間を確保できる。
【００４５】
（第２実施形態）
図８ないし図１０は、本発明の第２実施形態に係る強化装置６を示している。１本の横架材４に対し同一構成とされた一対の強化装置６、６がハ字状に配置され、強化装置６は、斜めに延びるブレース部材７を備え、該ブレース部材７の上端部を横架材４に固定する上部固定手段８と、下端部を支柱部材１に固定する下部固定手段９を備えており、この点は上述した第１実施形態と同様である。尚、第２実施形態において、下部固定手段９は図示省略している。
【００４６】
（上部固定手段の構成）
上記第１実施形態に対して、第２実施形態に係る強化装置６は、上部固定手段８における下顎手段１１及び上顎手段１２と、支持体１０及び緊締手段１６に関する技術的構成が相違する他は上記第１実施形態と同様であるから、以下、相違点について説明する。
【００４７】
第２実施形態において、上部固定手段８は、横架材４の下側に位置する支持体１０と、横架材４の下面を保持する下顎手段１１及び上面を保持する上顎手段１２を備え、上顎手段１２により固定顎部１３ｂを構成すると共に、下顎手段１１により可動顎部１４ｂを構成している。
【００４８】
上顎手段１２により構成された固定顎部１３ｂは、支持体１０から上向きに延設され、横架材４の上面に沿う円弧状のフックを形成し、好ましくは、フックの内側面に凹凸状の歯３１を備えている。
【００４９】
下顎手段１１により構成された可動顎部１４ｂは、支持体１０に遊動自在に保持されると共に、横架材４の下面に向かう方向に揺動自在とされた揺動部３２と、支持体１０に保持される保持部３３を備えており、揺動部３２には、横架材４の下面に沿う円弧面が形成されている。
【００５０】
これにより、第２実施形態の場合、下顎手段１１の揺動部３２の揺動を介して上下顎手段１２、１３により横架材４を上下から保持した状態で、緊締手段１６により下顎手段１１を押上げることにより、上下顎手段１２、１１により横架材４を挟着するように構成されている。
【００５１】
前記支持体１０には、下顎手段１１の前記揺動部３２を上下方向に揺動自在に嵌入する溝状の受入部２２ｂと前記保持部３３を遊動自在に保持する保持孔３４を備えたソケット手段１９ｂと、前記受入部２２ｂに嵌入された揺動部３２を押上げるロック片１５ｂが設けられており、これにより緊締手段１６を構成している。
【００５２】
前記ソケット手段１９ｂは、前記受入部２２ｂを横断するように横架材４の軸線と平行するＸ軸方向の挿入路２１ｂが設けられ、該挿入路２１ｂに前記ロック片１５ｂが摺動自在に挿通される。図例の場合、挿入路２１ｂは、受入部２２ｂに臨む支持体１０の両側に形成した開口部２３ｂ、２３ｂを備えている。
【００５３】
前記ロック片１５ｂは、基端部から先端部に向けて次第に上下幅を減じるテーパ縁を備えた楔部材から成り、該ロック片１５ｂを挿入路２１ｂの内部で矢印Ｘ１（図８（Ｂ）参照）で示す前進方向に移動したとき、該ロック片１５ｂが前記揺動部３２の下面に形成された被押圧部２５ｂを押圧し、下顎手段１１を押上げる楔手段２６ｂを構成する。反対に、ロック片１５ｂを矢印Ｘ２（図８（Ｂ）参照）で示す後退方向に移動すると、被押圧部２５ｂが押圧力から解放され、揺動部３２を受入部２２ｂに落とし込ませられる。図９（Ａ）は、下顎手段１１が押圧力から解放された状態を示し、図９（Ｂ）は、下顎手段１１を押圧力により押上げた状態を示している。
【００５４】
（第２実施形態の作用）
強化装置６の取付け及び取外し作業は、全て、強化すべき横架材４の直下の下層作業床から行うことが可能である。先ず、上部固定手段８は、ロック片１５ｂを矢印Ｘ２（図８（Ｂ）参照）で示す後退方向に移動させ、下顎手段１１を構成する可動顎部１４ｂの揺動部３２を受入部２２ｂに落とし込ませ、この状態で、図１０（Ａ）に示すように、上顎手段１２を構成する固定顎部１３ｂを横架材４の上面に係止する。この際、固定顎部１３ｂは、円弧状に延びる細長いフックを構成しているので、足場板５と横架材４の間の隙間ＳＲに対して、固定顎部１３ｂを下方から容易に通過させることができる。第２実施形態の場合、上顎手段１２を横架材４に係止した状態で、強化装置６が横架材４に吊持されるので、以後の下部固定手段９の緊締作業と上部固定手段８の緊締作業が容易となる。
【００５５】
この状態から、ハンマー等により、楔手段２６ｂを構成するロック片１５ｂを被押圧部２５ｂに交差させ、基端側からハンマー等により矢印Ｘ１（図８（Ｂ）参照）で示す前進方向に打ち込むと、下顎手段１１が押上げられ、上下顎手段１２、１１により横架材４をガタツキなく挟着する。
【００５６】
仮設足場の解体に際し、上部固定手段８を横架材４から取外す場合は、ハンマー等により、ロック片１５ｂの先端側を矢印Ｘ２（図８（Ｂ）参照）で示す後退方向に殴打すれば、被押圧部２５ｂに対する押上げ力が解除され、揺動部３２が受入部２２ｂに落とし込ませられるので、上顎手段１２を前記隙間ＳＲから下方に脱出させれば良い。
【００５７】
尚、被押圧部２５ｂを解放したロック片１５ｂは、前記Ｘ２で示す後退方向の開口部２３ｂから脱落しないように、先端部の側部に抜止め突部１５ｐを設けるのが好ましい。
【００５８】
因みに、横架材４の中心を通る垂線Ｖに対する桁方向の一方側Ｆと他方側Ｒに関して、図例の構成の場合、図８（Ａ）に示すように、緊締手段１６を一方側Ｆに臨むように偏位して設けているが、可動顎部１４ｂの保持部３３及び支持体１０の保持孔３４を設けた部位を他方側Ｒにも臨ませているため、第１実施形態に関して上述したハンマーの殴打ストロークを確保していない。従って、上述のようなハンマーの殴打ストロークを確保する必要がある場合は、可動顎部１４ｂの揺動部３２及びロック片１５ｂを図例の場合よりも更に一方側Ｆに向けて偏位させるように構成すれば良い。
【００５９】
（第３実施形態）
図１１ないし図１３は、本発明の第３実施形態に係る強化装置６を示している。１本の横架材４に対し同一構成とされた一対の強化装置６、６がハ字状に配置され、強化装置６は、斜めに延びるブレース部材７を備え、該ブレース部材７の上端部を横架材４に固定する上部固定手段８と、下端部を支柱部材１に固定する下部固定手段９を備えており、この点は上述した第１実施形態と同様である。尚、第３実施形態において、下部固定手段９は図示省略している。
【００６０】
（上部固定手段の構成）
上部固定手段８は、横架材４の下側に位置する支持体１０と、横架材４の下面を保持する下顎手段１１及び上面を保持する上顎手段１２を備え、上顎手段１２により固定顎部１３ｂを構成すると共に、下顎手段１１により可動顎部１４ｂを構成している。上顎手段１２により構成された固定顎部１３ｂは、支持体１０から上向きに延設され、横架材４の上面に沿う円弧状のフックを形成し、好ましくは、フックの内側面に凹凸状の歯３１を備えている。
【００６１】
下顎手段１１により構成された可動顎部１４ｂは、支持体１０に遊動自在に保持されると共に、横架材４の下面に向かう方向に揺動自在とされた揺動部３２を備えており、揺動部３２には、横架材４の下面に沿う円弧面３２ａが設けられている。これにより、下顎手段１１の揺動部３２の揺動を介して上下顎手段１２、１３により横架材４を上下から保持した状態で、緊締手段１６により下顎手段１１を押上げることにより、上下顎手段１２、１１により横架材４を挟着するように構成されている。
【００６２】
前記支持体１０には、下顎手段１１の前記揺動部３２を上下方向に揺動自在に嵌入する溝状の受入部２２ｂを備えたソケット手段１９ｂと、前記受入部２２ｂに嵌入された揺動部３２を押上げるロック片１５ｂが設けられており、これにより緊締手段１６を構成している。
【００６３】
前記ソケット手段１９ｂは、前記受入部２２ｂを横断するように横架材４の軸線と平行するＸ軸方向の挿入路２１ｂが設けられ、該挿入路２１ｂに前記ロック片１５ｂが摺動自在に挿通される。前記ロック片１５ｂは、基端部から先端部に向けて次第に上下幅を減じるテーパ縁を備えた楔部材から成り、該ロック片１５ｂを挿入路２１ｂの内部で矢印Ｘ１（図１２（Ｂ）参照）で示す前進方向に移動したとき、該ロック片１５ｂが前記揺動部３２の下面に形成された被押圧部２５ｂを押圧し、下顎手段１１を押上げる楔手段２６ｂを構成する。反対に、ロック片１５ｂを矢印Ｘ２（図１２（Ｂ）参照）で示す後退方向に移動すると、被押圧部２５ｂが押圧力から解放され、揺動部３２を受入部２２ｂに落とし込ませられる。
【００６４】
上記構成は第２実施形態と同様であるが、第３実施形態は、前記可動顎部１４ｂに枢支部３５を形成し、該枢支部３５を枢軸３６により支持体１０に遊転自在に保持させ、該枢支部３５の一側に前記揺動部３２を設け、他側に作動片３７を延設しており、該枢支部３５を介して作動片３７と揺動部３２を連動連結している。
【００６５】
上述の第１及び第２実施形態と同様に、固定顎部１３ｂと可動顎部１４ｂの間には横架材４を挟持する挟持空間が形成され、該挟持空間は、横架材４の中心を通る垂線Ｖの両側に位置する一方側Ｆと他方側Ｒに関し、一方側に導入開口部を開口しており、前記作動片３７は、挟持空間の内部に進入させられている。つまり、ロック片１５ｂを矢印Ｘ２方向に後退させることにより被押圧部２５ｂから退避させた状態で、前記枢支部３５の遊転を介して揺動部３２が自重により受入部２２ｂに落ち込み、これに伴い、作動片３７が挟持空間の内部に進入している。
【００６６】
前記枢支部３５の遊転を介して揺動部３２を持ち上げ、同時に作動片３７を回転（図示時計針方向に回転）させたとき、該作動片３７を前記挟持空間から退避させる退避溝３８が前記受入部２２ｂから固定顎部１３ｂの背部の内側に至り延設されている。
【００６７】
（第３実施形態の作用）
強化装置６の取付け及び取外し作業は、全て、強化すべき横架材４の直下の下層作業床から行うことが可能である。先ず、上部固定手段８は、ロック片１５ｂを矢印Ｘ２（図１２（Ｂ）参照）で示す後退方向に移動させ、下顎手段１１を構成する可動顎部１４ｂの揺動部３２を受入部２２ｂに落とし込ませると共に、作動片３７を挟持空間に進入させた状態で、図１３（Ａ）に示すように、導入開口部を横架材４に臨ませると、横架材４が作動片３７に当接する。
【００６８】
引き続いて、図１３（Ｂ）に示すように、上顎手段１２を構成する固定顎部１３ｂのフックを横架材４の上面に係止させるように図示矢印Ｍで示すように移動し、横架材４を挟持空間に進入すると、作動片３７が横架材４により押動させられ、これに連動して揺動部３２が上動し、該揺動部３２を緊締手段１６により押上げ可能な待機姿勢とする。従って、作業者は、固定顎部１３ｂのフックを横架材４に向けて矢印Ｍ方向に移動するだけで、揺動部３２を待機姿勢に保持することができ、揺動部３２（可動顎部１４ｂ）を指先等で持ち上げる必要はなく、作業が容易である。しかも、固定顎部１３ｂのフックを横架材４に吊持させた状態で、作動片３７が元の位置に復帰することを阻止され、揺動部３２の前記待機姿勢を保持するので、以後の上部固定手段８の緊締作業を容易とする。
【００６９】
この状態から、ハンマー等により、楔手段２６ｂを構成するロック片１５ｂを被押圧部２５ｂに交差させ、基端側からハンマー等により矢印Ｘ１（図１２（Ｂ）参照）で示す前進方向に打ち込むと、図１３（Ｃ）に示すように、揺動部３２が押上げられて横架材４に圧接し、上下顎手段１２、１１により横架材４をガタツキなく挟着する。この際、作動片３７は、前記退避溝３８に退避する。
【００７０】
仮設足場の解体に際して、上部固定手段８を横架材４から取外す場合は、ハンマー等により、ロック片１５ｂの先端側を矢印Ｘ２（図１２（Ｂ）参照）で示す後退方向に殴打すれば、被押圧部２５ｂに対する押上げ力が解除され、揺動部３２が受入部２２ｂに落とし込ませられるので、上顎手段１２のフックを横架材４から引き離せば良い。
【００７１】
尚、被押圧部２５ｂを解放したロック片１５ｂは、前記Ｘ２で示す後退方向の挿入路２１ｂから脱落しないように、先端部の側部に抜止め突部１５ｐを設けるのが好ましい。
【００７２】
第３実施形態においても、図１２（Ａ）に示すように、第１実施形態の場合と同様に、ロック片１５ｂが横架材４の中心を通る垂線Ｖから偏位し、好ましくは、一方側Ｆに向けて支柱部材１を超えた位置に設けられている。従って、１本の横架材４に対して、鉛直軸を対称軸として反転した姿勢で、同一構成とした一対の強化装置６、６ハ字状に配置した状態において、上部固定手段８と支柱部材１の間の間隔Ｌ１（図３参照）がハンマーの殴打ストロークを十分に確保できない場合でも、振り上げたハンマーが支柱部材１に干渉することはなく、ハンマーでロック片１５ｂを容易に打ち込むことが可能であり、反対に、仮設足場の解体に際し、ロック片１５ｂの先端側を矢印Ｘ２（図１２（Ｂ）参照）で示す後退方向にハンマーで殴打し、被押圧部２５ｂから脱出させる際に、一対の強化装置６Ａ、６Ｂの間隔Ｌ２（図３参照）がハンマーの殴打ストロークを十分に確保できない場合でも、振り上げたハンマーが反対側の強化装置６に干渉することはなく、ハンマーでロック片１５ｂの先端側を容易に殴打することが可能である。
【産業上の利用可能性】
【００７３】
上述の通り、第１実施形態、第２実施形態、第３実施形態の何れにおいても、横架材４は、上部固定手段８から下向き斜めに延びるブレース部材７により、支柱部材１ａ、１ｂの下方位置に支持され、横架材４が受ける荷重は、上部固定手段８の下顎手段１１とブレース部材７と下部固定手段９により、支柱部材１ａ、１ｂに好適に支持される。
【００７４】
この際、一対の強化装置６、６を取付けることにより、横架材４の架設構造は、支柱部材１ａ、１ｂに架設された両端の緊結手段４ａ、４ａを架設支持点とする支持スパン（支柱部材１ａ、１ｂの間隔と等しい）に加えて、強化装置６、６を架設支持点とする支持スパン（図３に示す間隔Ｌ２とほぼ等しい）を形成し、支持スパンが狭められた架設支持点を提供するので、横架材４の曲げ強度を大幅に向上する。
【００７５】
特に、強化装置６は、緊締手段１６を備えた上部固定手段８により、横架材４をガタツキなく緊締するので、横架材４と支柱部材１ａ、１ｂの間に剛体構造が形成され、横架材４の座屈方向の変形を阻止すると共に、強風等による足場構築体の揺れを阻止する。
【００７６】
そして、強化装置６の取付け作業は、全て、下層作業床から行うことが可能であるから、作業効率が良く、取付後においても、下層作業床上の作業空間Ｓを不必要に狭めることがなく、該作業空間Ｓを往来する作業者の頭部の空間を確保できる。しかも、上述のように上部固定手段８及び下部固定手段９は、何れもハンマーだけで緊締作業及び緊締解除作業が行えるように構成されているので、ハンマー以外の工具を要しないという実益がある。
【符号の説明】
【００７７】
１ａ、１ｂ  支柱部材
２  フランジ
２ａ  楔孔
３  連結手段
４  横架材
４ａ  緊結手段
５  足場板
５ａ  フック
６  強化装置
７  ブレース
８  上部固定手段
９  下部固定手段
１０  支持体
１１  下顎手段
１２  上顎手段
１３ａ、１３ｂ  固定顎部
１４ａ、１４ｂ  可動顎部
１５ａ、１５ｂ  ロック片
１５ｐ  突部
１６  緊締手段
１７  ブラケット
１８  枢結手段
１９ａ、１９ｂ  ソケット手段
２０  プラグ手段
２１ａ、２１ｂ  挿入路
２２ａ、２２ｂ  受入部
２３ａ、２３ｂ  開口部
２４  舌片部
２５ａ、２５ｂ  被押圧部
２６ａ、２６ｂ  楔手段
２７  ブラケット
２８  板部
２９  孔
３０  楔部材
３１  歯
３２  揺動部
３３  保持部
３４  保持孔
３５  枢支部
３６  枢軸
３７  作動片
３８  退避溝
【図１】
0005986405.tif 000002
【図２】
0005986405.tif 000003
【図３】
0005986405.tif 000004
【図４】
0005986405.tif 000005
【図５】
0005986405.tif 000006
【図６】
0005986405.tif 000007
【図７】
0005986405.tif 000008
【図８】
0005986405.tif 000009
【図９】
0005986405.tif 000010
【図１０】
0005986405.tif 000011
【図１１】
0005986405.tif 000012
【図１２】
0005986405.tif 000013
【図１３】
0005986405.tif 000014